【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
基板；
前記基板の上部に形成された、品質保持期間延長剤および５ｅＶを超えるエネルギーを有する電離放射線が照射されたときに検出可能な色の変化を発色する性能を有する放射線感受性材料を含み、前記放射線感受性材料が、ジアセチレン、ラジオクロミック色素、ｐＨ感受性色素、酸生産性化合物、およびこれらの混合物からなる群から選択される、少なくとも１つのイメージング層；および
前記放射線感受性材料を、太陽光またはＵＶ光から保護する、少なくとも１つの手段；を含む、放射線モニタリング装置。
【請求項２】
基板；
５ｅＶを超えるエネルギーを有する電離放射線が照射されたときに検出可能な色の変化を発色する性能を有するラジオクロミック材料を含む少なくとも１つのイメージング層；
バインダ；
保護層；および
少なくとも２つの所定の電離放射線のレベルでの前記検出可能な色の変化に対応する少なくとも２つの色を含む少なくとも１つの参照チャート：
を含む、放射線モニタリング装置。
【請求項３】
基板；
５ｅＶを超えるエネルギーを有する電離放射線が照射されたときに検出可能な色の変化を発色する性能を有するラジオクロミック材料を含む少なくとも１つのイメージング層；
バインダ；
保護層；および
所定の電離放射線のレベルでの前記検出可能な色の変化に対応する少なくとも１つの色を含む少なくとも１つの参照チャート：
を含み、前記ラジオクロミック材料がＲｌ−（ＣＨ２）ｎ−Ｃ≡Ｃ−Ｃ≡Ｃ−（ＣＨ２）ｍ−Ｒ２の対称もしくは非対称の脂肪酸またはその誘導体を含むジアセチレンであり、ここでＲ１またはＲ２のうち少なくとも１つが−ＣＯＯＨであり、ｎおよびｍが独立に１〜１０から選択される、放射線モニタリング装置。
【請求項４】
基板；
前記基板にコートされた、品質保持期間延長剤および少なくとも１組の共役アルケンを含み、電離放射線が照射されたときに検出可能な色の変化を発色する性能を有するラジオクロミック材料を含む前記放射線感受性材料；および
保護層：
を含む放射線モニタリング装置。
【請求項５】
基板；
５ｅＶを超えるエネルギーを有する電離放射線が照射されたときに検出可能な色の変化を発色する性能を有するラジオクロミック材料を含む少なくとも１つのイメージング層；および
保護層：
バインダ；
少なくとも１つの環境パラメータをモニターする少なくとも１つのインジケータ：
を含む放射線モニタリング装置。
【請求項６】
前記ラジオクロミック材料が、ジアセチレンまたはラジオクロミック色素を含む、請求項２、３、５のいずれか１項に記載の放射線モニタリング装置。
【請求項７】
基板；
前記基板の上部に形成された、少なくとも１つのバインダ、少なくとも１つの放射線感受性材料、および少なくとも１つの品質保持期間延長剤を含む混合物を含み、前記混合物は、５ｅＶを超えるエネルギーを有する電離放射線が照射されたときに検出可能な色の変化を発色する性能を有する、少なくとも１つのイメージング層；
を含む、放射線モニタリング装置。
【請求項８】
偽陽性または不正使用を示すことができる少なくとも１つのインジケータをさらに含む、請求項１〜７のいずれか１項に記載の放射線モニタリング装置。
【請求項９】
基板；
前記基板の上部に形成された、５ｅＶを超えるエネルギーを有する電離放射線が照射されたときに検出可能な色の変化を発色する性能を有する放射線感受性材料を含む少なくとも１つのイメージング層および偽陽性または不正使用を示すことができる少なくとも１つのインジケータ；
を含む、放射線モニタリング装置。
【請求項１０】
品質保持期間延長剤をさらに含む、請求項２、３、５、９のいずれか１項に記載の放射線モニタリング装置。
【請求項１１】
前記インジケータが、温度インジケータ、時間−温度インジケータ、品質保持期間インジケータ、品質保持期間切れインジケータ、およびＵＶ曝露インジケータから選択される少なくとも１つのインジケータをさらに含む、請求項５、８〜９のいずれか１項に記載の放射線モニタリング装置。
【請求項１２】
前記品質保持期間延長剤が、熱安定剤、活性種のクエンチャー、ラジカルスカベンジャー、酸素スカベンジャー、抗酸化剤、活性種の阻害剤、活性種の防止剤、熱酸化防止剤、光酸化防止剤、ヒドロペルオキシド分解剤、Ｈ−供与体、ＵＶ安定剤、ＵＶ吸収剤、ＵＶ反射剤、および蛍光増白剤からなる群から選択される１以上を含む、請求項１、４、７、１０、１１のいずれか１項に記載の放射線モニタリング装置。
【請求項１３】
前記放射線感受性材料が、ジアセチレン、ラジオクロミック色素、ｐＨ感受性色素、酸生産性化合物およびこれらの混合物からなる群から選択される、請求項４、７〜１２のいずれか１項に記載の放射線モニタリング装置。
【請求項１４】
前記放射線感受性材料が、少なくとも１組の共役アルキンを有するジアセチレンを含み、Ｒ’−Ｃ≡Ｃ−Ｃ≡Ｃ−Ｒ”；ここでＲ’およびＲ”は独立に：（ＣＨ２）ｂ−Ｈ；（ＣＨ２）ｂＯＨ；（ＣＨ２）ｂ−ＯＣＯＮＨ−Ｒｌ；（ＣＨ２）ｂ−Ｏ−ＣＯ−Ｒｌ；（ＣＨ２）ｂ−Ｏ−Ｒｌ；（ＣＨ２）ｂ−ＣＯＯＨ；（ＣＨ２）ｂ−ＣＯＯＭ；（ＣＨ２）ｂ−ＮＨ２；（ＣＨ２）ｂ−ＣＯＮＨＲｌ；（ＣＨ２）ｂ−ＣＯ−Ｏ−Ｒ１またはこれらの混合物であり；この際ｂ＝１〜１０であり、Ｒ１は脂肪族または芳香族のラジカルであり、Ｍはカチオンまたは（Ｒ１）３Ｎ＋である：およびＲｌ−（ＣＨ２）ｎ−Ｃ≡Ｃ−Ｃ≡Ｃ−（ＣＨ２）ｍ−Ｒ２の対称もしくは非対称の脂肪酸またはその誘導体；ここでＲ１またはＲ２のうち少なくとも１つが−ＣＯＯＨであり、ｎおよびｍが独立に１〜１０から選択される；からなる群から選択される、請求項４、７〜１３のいずれか１項に記載の放射線モニタリング装置。
【請求項１５】
線量、使用法、使用者名、バーコード、識別番号、前記線量の影響および前記線量によってとるべき行動の少なくとも１つの記述を含む、印刷された情報をさらに含む、請求項１〜１４のいずれか１項に記載の放射線モニタリング装置。
【請求項１６】
所定の電離放射線のレベルでの前記検出可能な色の変化に対応する少なくとも１つの色を含む少なくとも１つの参照チャートを含む、請求項１〜１５のいずれか１項に記載の放射線モニタリング装置。
【請求項１７】
バッジ、テープ、包帯、パッチ、ステッカー、フィルム、プラーク、およびロッドの形態である、請求項１〜１６のいずれか１項に記載の放射線モニタリング装置。
【請求項１８】
保護層をさらに含む、請求項１〜１７のいずれか１項に記載の放射線モニタリング装置。
【請求項１９】
前記基板および前記保護層のうち少なくとも１つが不透明である、請求項１８に記載の放射線モニタリング装置。
【請求項２０】
接着層をさらに含む、請求項１〜１９のいずれか１項に記載の放射線モニタリング装置。
【請求項２１】
前記装置が使用者、衣類または機器に取り付けられている、請求項１〜２０のいずれか１項に記載の放射線モニタリング装置。
【請求項２２】
前記装置が、所定の光学濃度の表示をさらに含み、前記装置に放射線が照射されたとき前記装置が前記所定の光学濃度に対応する光学濃度を有する、請求項１〜２１のいずれか１項に記載の自動放射線モニタリング装置。
【請求項２３】
バインダおよび５ｅＶを超えるエネルギーを有する電離放射線が照射されたときに検出可能な色の変化を発色する性能を有するラジオクロミック材料を含む少なくとも１つのイメージング層を基板の上に積層する段階を含む、請求項１〜２２に記載の放射線モニタリング装置の製造方法。
【請求項２４】
偽陽性または不正使用を示すことができる少なくとも１つの層を積層する段階を含む、請求項２３に記載の放射線モニタリング装置の製造方法。
【請求項２５】
ジアセチレンならびに熱安定剤、活性種のクエンチャー、ラジカルスカベンジャー、酸素スカベンジャー、抗酸化剤、活性種の阻害剤、活性種の防止剤、熱酸化防止剤、光酸化防止剤、ヒドロペルオキシド分解剤、Ｈ−供与体、ＵＶ安定剤、ＵＶ吸収剤、ＵＶ反射剤、および蛍光増白剤からなる群から選択される少なくとも１つの添加剤を含む組成物。
【請求項２６】
請求項２５に記載の組成物を基板に塗布する段階を含む、検出器の製造方法。
【請求項２７】
請求項２５に記載の組成物を含む、検出器。
【請求項２８】
ジアセチレンならびに熱安定剤、活性種のクエンチャー、ラジカルスカベンジャー、酸素スカベンジャー、抗酸化剤、活性種の阻害剤、活性種の防止剤、熱酸化防止剤、光酸化防止剤、ヒドロペルオキシド分解剤、Ｈ−供与体、ＵＶ安定剤、ＵＶ吸収剤、ＵＶ反射剤、および蛍光増白剤からなる群から選択される少なくとも１つの添加剤を含む、環境パラメータを表示する性能を有する、装置。
【請求項２９】
前記添加剤が、品質保持期間延長剤である、請求項２８に記載の装置。
【請求項３０】
前記環境パラメータが、温度、時間および温度の積算値、および品質保持期間から選択される、請求項２８に記載の装置。
【請求項３１】
基板；
５ｅＶを超えるエネルギーを有する電離放射線が照射されたときに検出可能な色の変化を発色する性能を有するラジオクロミック材料を含む少なくとも１つのイメージング層；
バインダ；
保護層；および
所定の電離放射線のレベルでの前記検出可能な色の変化に対応する少なくとも１つの色を含む少なくとも１つの参照チャート：
を含む、放射線モニタリング装置を形成する方法であって、
溶媒中のジアセチレン、品質保持期間延長剤、およびバインダの混合物を冷却することを含む、方法。
【請求項３２】
酸生産性化合物と、ラジオクロミック色素、ｐＨ感受性色素、活性種のクエンチャー、ラジカルスカベンジャー、酸素スカベンジャー、抗酸化剤、活性種の阻害剤、活性種の防止剤、熱酸化防止剤、光酸化防止剤、ヒドロペルオキシド分解剤、Ｈ−供与体、ＵＶ安定剤、ＵＶ吸収剤、ＵＶ反射剤、および蛍光増白剤からなる群から選択される１以上とを含む、組成物。
【請求項３３】
酸生産性化合物と、熱安定剤、活性種のクエンチャー、ラジカルスカベンジャー、酸素スカベンジャー、抗酸化剤、活性種の阻害剤、活性種の防止剤、熱酸化防止剤、光酸化防止剤、ヒドロペルオキシド分解剤、Ｈ−供与体、ＵＶ安定剤、ＵＶ吸収剤、ＵＶ反射剤、および蛍光増白剤からなる群から選択される１以上とを含む、環境パラメータを表示する性能を有するインジケータ。